(57)【要約】【課題】充分な小型化が可能で、接着による固定も容易な対物レンズ保持装置を提供する。【解決手段】対物レンズ３２を装着するレンズホルダ３３の両側にプロテクタ４１，４２を固定する。プロテクタ４１，４２は、対物レンズ３２、レンズホルダ３３や、光ディスクなどの対象物より軟質の素材で形成する。プロテクタ４１，４２とレンズホルダ３３の周囲とで、接着剤に対する堰を形成し、接着剤層４３を形成するように硬化するまで、塗布した接着剤が流れ出さないようにすることができる。接着材層４３は、対物レンズ３２およびプロテクタ４１，４２を同時にレンズホルダ３３に対して固定する。【選択図】　　　図１
2004139694.tif 000002
【特許請求の範囲】
【請求項１】
対物レンズを、光学的に情報を取扱う対象物の表面に接近させて保持する対物レンズ保持装置であって、
対象物に臨む表面に、対物レンズが装着されるレンズホルダと、
対物レンズおよびレンズホルダよりも軟質の材料で形成され、レンズホルダで対象物に臨む表面側に、対物レンズよりも突出するように装着されるプロテクタと、
対物レンズおよびプロテクタを、レンズホルダに対して同時に固定する接着剤層とを含み、
レンズホルダの対象物に臨む表面の周囲とプロテクタとで、またはプロテクタで、対物レンズの径方向の外方を囲む堰を形成していることを特徴とする対物レンズ保持装置。
【請求項２】
前記プロテクタは、前記対物レンズの光軸を挟む両側に設けられることを特徴とする請求項１記載の対物レンズ保持装置。
【請求項３】
前記プロテクタは、前記対物レンズの前記周囲を一周し、かつ該対物レンズの光軸を挟む両側で前記対象物側に突出することを特徴とする請求項１記載の対物レンズ保持装置。
【請求項４】
前記プロテクタと前記レンズホルダとの接合面に、
該プロテクタまたは該レンズホルダの一方側で、該一方側から他方側に突出する凸部と、
該他方側で該凸部が嵌合する凹部とがそれぞれ形成され、
該凸部と該凹部とを嵌合させることによって、前記接着剤塗布前の仮固定が可能であることを特徴とする請求項１〜３のいずれかに記載の対物レンズ保持装置。
【請求項５】
前記凸部および前記凹部は、嵌合状態で、予め定める一方向についてのみ着脱を許容し、該一方向に直交する方向については変位を拘束するように形成されていることを特徴とする請求項４記載の対物レンズ保持装置。
【発明の詳細な説明】
【０００１】
【発明の属する技術分野】
本発明は、光ピックアップなどで対物レンズを保持する対物レンズ保持装置に関する。
【０００２】
【従来の技術】
従来から、ＣＤ（Ｃｏｍｐａｃｔ　Ｄｉｓｃ）やＤＶＤ（Ｄｉｇｉｔａｌ　Ｖｅｒｓａｔｉｌｅ　Ｄｉｓｃ）などの光学的に情報を記録したり再生したりする記録媒体に対しては、対物レンズを備える光ピックアップ装置が用いられている。光ピックアップ装置では、対物レンズを記録媒体に接近させ、位置が適切となるように動的なサーボ制御が行われる。サーボ制御の方向には、対物レンズの光軸上で、対物レンズと記録媒体との間隔を変化させるフォーカスサーボと、記録媒体で情報が記録されているトラックに追従するように光軸に垂直な方向の位置を変化させるトラッキングサーボとが行われる。
【０００３】
図９は、従来から、光ピックアップ装置で対物レンズを保持する部品として用いられている対物レンズ保持装置１の概略的な構成を示す。対物レンズ保持装置１は、基本的には凸レンズである対物レンズ２と、対物レンズ２を保持するレンズホルダ３とを含む。レンズホルダ３には、トラッキングサーボのための電磁的な力を発生させるトラッキングコイル４，５と、フォーカスサーボのための電磁的な力を発生させるフォーカスコイル６，７が巻回される。レンズホルダ３には、これらのコイルに通電するための端子８，９，１０も設けられる。
【０００４】
光ピックアップ装置においては、フォーカスサーボをかけるために、対物レンズ２を記録媒体の表面に対して光軸が垂直となる状態で、その光軸方向に移動可能な構造をとるようにされている。その移動範囲は、ストッパなどによって、有る範囲に規制され、対物レンズ２あるいはレンズホルダ３が記録媒体に接触することがないようにされている。しかし、光ピックアップ装置の小型化に伴い、記録媒体の表面と対物レンズ２との間隔が狭くなり、対物レンズ２あるいはレンズホルダ３の一部が記録媒体の表面に接触することが起こるようになってきている。この場合、接触が生じると、対物レンズ２あるいは記録媒体に傷が付き、情報の読取りや書込みの性能を低下させる影響が生じてしまい、問題となる。
【０００５】
そこで考えられているのが、プロテクタ１１，１２を用いることである。プロテクタ１１，１２は、記録媒体よりも柔らかい素材を用い、対物レンズ２あるいはレンズホルダ３が記録媒体に接触しないように、記録媒体に対してプロテクタ１１，１２が先に接触し、記録媒体や対物レンズ２の傷付を防止する。レンズホルダ３に対する対物レンズ２やプロテクタ１１，１２の固定には、接着剤が用いられる。
【０００６】
図１０は、図１の対物レンズ保持装置１を使用して情報の読出しや書込を行う状態を簡略化して示す。記録媒体として、ＣＤやＤＶＤなどの光ディスク１５を用い、光学モジュール１６からレーザ光を立ち上げミラー１７などの光学部品を使用して対物レンズ２に導き、光ディスク１５の情報記録部分に照射する。情報を読出す際には、情報記録部分からの反射光を対物レンズ２で集光し、光学モジュール１６で受光して情報を読取る。プロテクタ１１，１２の先端が対物レンズ２やレンズホルダ３よりも光ディスク１５に近くなるようにしておけば、対物レンズ保持装置１が光ディスク１５の表面に接近しても、プロテクタ１１，１２の先端が先に接触する。
【０００７】
図１１は、光ピックアップ装置としての概略的な構成を示す。対物レンズ保持装置１は、端子板２０やヨーク２１、マグネット２２ａ，２２ｂなどとともに使用される。端子板２０に立接される支持ワイヤ２３，２４，２５，２６の先端に、端子８，９，１０が接合されて、端子板２０と各コイルとの電気的な接続が行われるとともに、機械的にも支持される。ヨーク２１およびマグネット２２ａ，２２ｂは、各コイルと鎖交するような磁界を発生する磁気回路を形成し、コイルに通電することによって電磁力を発生させ、対物レンズ保持装置１をフォーカス方向やトラッキング方向に変位させることができる。
【０００８】
対物レンズの周囲に、プロテクタに相当する環状保護部材を装着し、レンズホルダへの固定を接着剤によって行う構成も提案されている（たとえば、特許文献１参照）。また、対物レンズを装着したレンズホルダの両側からプロテクタに相当する保護部材を機械的に係止する構成も提案されている（たとえば、特許文献２参照。）。
【０００９】
【特許文献１】
特開平１０−３２０８０２号公報
【特許文献２】
特開２０００−３１１３６３号公報
【００１０】
【発明が解決しようとする課題】
図９に示すようなプロテクタ１１，１２を取付けるためには、対物レンズ２の周囲にスペースを必要とする。このため、レンズホルダ３に充分なスペースが有れば問題ないけれども、小型化したレンズホルダでは取付け困難となる。また、一般に対物レンズ２やプロテクタ１１，１２は接着剤で固定することが多いけれども、その接着剤が硬化する前に流れ出すのを防止する構造が必要となる場合もある。特許文献１の場合、接着剤を側方に開口している部分に塗布して、表面への回り込みを防止しているけれども、接着剤の硬化前に側方から下方に流れ出してしまうのをどのようにして防ぐかについては不明である。特許文献２では、プロテクタに相当する保護部材を機械的に係止することしか記載されていない。保護部材を接着しない場合は、機械的振動などによって、ずれなどが生じるおそれがある。
【００１１】
図９に示す対物レンズ保持装置１では、接着剤の流れ出し防止のために、レンズホルダ３で対物レンズ２を装着する表面側に、堰３ａやリブ３ｂを形成している。堰３ａやリブ３ｂを形成するためにも余分なスペースが必要となる。
【００１２】
本発明の目的は、充分な小型化が可能で、接着による固定も容易な対物レンズ保持装置を提供することである。
【００１３】
【課題を解決するための手段】
本発明は、対物レンズを、光学的に情報を取扱う対象物の表面に接近させて保持する対物レンズ保持装置であって、
対象物に臨む表面に、対物レンズが装着されるレンズホルダと、
対物レンズおよびレンズホルダよりも軟質の材料で形成され、レンズホルダで対象物に臨む表面側に、対物レンズよりも突出するように装着されるプロテクタと、
対物レンズおよびプロテクタを、レンズホルダに対して同時に固定する接着剤層とを含み、
レンズホルダの対象物に臨む表面の周囲とプロテクタとで、またはプロテクタで、対物レンズの径方向の外方を囲む堰を形成していることを特徴とする対物レンズ保持装置である。
【００１４】
本発明に従えば、対物レンズ保持装置は、対物レンズを、光学的に情報を取扱う対象物の表面に接近させて保持するために、レンズホルダと、プロテクタと、接着剤層とを含む。レンズホルダは、対象物に臨む表面に、対物レンズが装着され、対物レンズおよびレンズホルダよりも軟質の材料で形成されるプロテクタが、対物レンズよりも突出するように装着される。対物レンズおよびプロテクタは接着剤層で同時に固定される。レンズホルダの対象物に臨む表面の周囲とプロテクタとで、またはプロテクタで、対物レンズの径方向の外方を囲む堰を形成しているので、接着剤層を形成するために接着剤を塗布しても、堰によって流れ出しを防ぐことができる。プロテクタは、堰の一部または全部を形成するので、レンズホルダに必要なスペースを小さくし、小型化を図ることができる。
【００１５】
また本発明で、前記プロテクタは、前記対物レンズの光軸を挟む両側に設けられることを特徴とする。
【００１６】
本発明で、プロテクタが対物レンズの光軸を挟む両側に設けられるので、対物レンズ保持装置が傾いても、いずれかのプロテクタが対象物に接触し、対物レンズやレンズホルダの接触を防ぐことができる。
【００１７】
また本発明で、前記プロテクタは、前記対物レンズの前記周囲を一周し、かつ該対物レンズの光軸を挟む両側で前記対象物側に突出することを特徴とする。
【００１８】
本発明に従えば、プロテクタを一体化して、対物レンズの両側で対象物との接触を防ぐことができる。
【００１９】
また本発明で、前記プロテクタと前記レンズホルダとの接合面に、
該プロテクタまたは該レンズホルダの一方側で、該一方側から他方側に突出する凸部と、
該他方側で該凸部が嵌合する凹部とがそれぞれ形成され、
該凸部と該凹部とを嵌合させることによって、前記接着剤塗布前の仮固定が可能であることを特徴とする。
【００２０】
本発明に従えば、プロテクタとレンズホルダとの接合面には、一方側からの突出する凸部と、他方側でその凸部が嵌合する凹部とが形成されるので、凸部を凹部に嵌合させることによって、プロテクタとレンズホルダを機械的に仮固定することができる。プロテクタを仮固定しているレンズホルダに対物レンズを装着して接着することによって、対物レンズ保持装置を容易に組立てて固定することができる。
【００２１】
また本発明で、前記凸部および前記凹部は、嵌合状態で、予め定める一方向についてのみ着脱を許容し、該一方向に直交する方向については変位を拘束するように形成されていることを特徴とする。
【００２２】
本発明に従えば、プロテクタとレンズホルダとを仮固定する凸部および凹部は、嵌合状態で、予め定める一方向についてのみ着脱を許容し、その一方向に直交する方向については変位を拘束するように形成されているので、仮固定状態で強固に組立てることができる。
【００２３】
【発明の実施の形態】
図１は、本発明の実施の第１形態である対物レンズ保持装置３１の概略的な構成を示す。対物レンズ保持装置３１は、対物レンズ３２をレンズホルダ３３で保持する。レンズホルダ３３には、トラッキングコイル３４，３５やフォーカスコイル３６，３７が巻回され、その電気的接続や機械的支持のための端子３８，３９も設けられる。トラッキングコイル３４，３５、フォーカスコイル３６，３７および端子３８，３９は、図９のトラッキングコイル４，５、フォーカスコイル６，７および端子８，９とそれぞれ同等である。フォーカスコイル３７側にも端子が設けられる。対物レンズ３２は、光学的性質の良好な透明合成樹脂やガラスで形成される。レンズホルダ３３は、合成樹脂で形成される。
【００２４】
本実施形態の対物レンズ保持装置３１は、対物レンズ３２を、光学的に情報を取扱う光ディスクなどの対象物の表面に接近させて保持するために、対象物に臨む表面に、対物レンズ３２が装着されるレンズホルダ３３の周囲に、対物レンズ３２およびレンズホルダ３３よりも軟質の合成樹脂やゴムなどの材料で形成され、レンズホルダ３３で対象物に臨む表面側に、対物レンズ３２よりも突出するようにプロテクタ４１，４２が装着される。対物レンズ３２およびプロテクタ４１，４２は、レンズホルダ３３に対して同時に、接着剤層４３によって固定される。レンズホルダ３３の対象物に臨む表面の周囲とプロテクタ４１，４２とで、対物レンズ３２の径方向の外方を囲む堰を形成し、堰の内部に接着剤層４３を保持している。レンズホルダ３３とプロテクタ４１，４２との接合部には、仮固定用溝４５および仮固定用突条４６がそれぞれ形成される。
【００２５】
図２は、図１の対物レンズ保持装置１で対物レンズ３２の周囲の断面構成を示す。図１の対物レンズ保持装置３１は、対物レンズ３２およびレンズホルダ３３よりも軟質の材料で形成されるプロテクタ４１，４２が、先端４１ａ，４２ａで、対物レンズ３２よりも突出するように装着される。対物レンズ３２およびプロテクタ４１，４２は接着剤層４３で同時に固定される。レンズホルダ３３の対象物に臨む表面の周囲３３ａとプロテクタ４１，４２の先端４１ａ，４２ａとで、対物レンズ３２の径方向の外方を囲む堰を形成しているので、接着剤層４３を形成するために接着剤を塗布しても、堰によって流れ出しを防ぐことができる。プロテクタ４１，４２は、堰の一部を形成するので、レンズホルダ３３に必要なスペースを小さくし、小型化を図ることができる。
【００２６】
また、プロテクタ４１，４２は、対物レンズ３２の光軸を挟む両側に設けられる。これによって、対物レンズ保持装置１が傾いても、いずれかのプロテクタ４１，４２が対象物に接触し、対物レンズ３２やレンズホルダ３３の接触を防ぐことができる。
【００２７】
図３は、図１の対物レンズ保持装置１で、接着剤層４３を形成する接着剤の塗布前に、一方のプロテクタ４１を外している状態を示す。プロテクタ４１の仮固定用突条４６は、レンズホルダ３３の仮固定用溝４５に嵌合して、仮固定することができる。なお、仮固定用突条４６のような凸部は、プロテクタ４１，４２とレンズホルダ３３との接合面に形成されればよく、プロテクタ４１，４２またはレンズホルダ３３の一方側から他方側に他方側に突出すればよい。他方側には、仮固定用溝４５のような凹部を形成しておけばよい。一方側からの突出する凸部と、他方側でその凸部が嵌合する凹部とが形成されるので、凸部を凹部に嵌合させることによって、プロテクタ４１，４２とレンズホルダ３３とを機械的に仮固定することができる。プロテクタ４１，４２を仮固定しているレンズホルダ３３に対物レンズ３２を装着して接着剤を塗布して接着することによって、対物レンズ保持装置３１を容易に組立てて固定することができる。このことは、他の実施形態でも同様である。
【００２８】
図４は、本発明の実施の第２形態である対物レンズ保持装置５１の概略的な構成を示す。本実施形態で、図１の実施形態に対応する部分には同一の参照符を付し、重複する説明を省略する。なお、本実施形態でも図１の実施形態と同様に接着剤層４３を形成するけれども、図示は省略する。以下に説明する各実施形態でも同様とする。
【００２９】
本実施形態で、プロテクタ５２の先端５２ａは、対物レンズ３２の周囲を一周し、かつ対物レンズ３２の光軸を挟む両側で対象物側に突出する。これによって、プロテクタ５２を一体化して、対物レンズ３２の両側で対象物との接触を防ぐことができる。
【００３０】
図５は、本発明の実施の第３形態である対物レンズ保持装置６１の概略的な構成を示す。本実施形態で、レンズホルダ６３の両側に装着されるプロテクタ６５，６６は、トラッキングコイル３４，３５の部分に生じる段差を利用して仮固定される。すなわち、プロテクタ６５，６６は、下方に突出する仮固定用突条６７で仮固定される。プロテクタ６５，６６の先端６５ａ，６６ａとレンズホルダ６３の周囲６３ａとによる堰の形成については、図１の実施形態と同様である。
【００３１】
図６は、本発明の実施の第４形態である対物レンズ保持装置７１の概略的な構成を示す。本実施形態で、レンズホルダ６３の周囲両側に装着される一体化されたプロテクタ７５は、トラッキングコイル３４，３５の部分に生じる段差を利用して仮固定される。すなわち、プロテクタ７５は、下方に突出する仮固定用突条７７で仮固定される。プロテクタ７５の先端７５ａによる堰の形成については、図４の実施形態と同様である。
【００３２】
図７は、本発明の実施の第５形態である対物レンズ保持装置８１の概略的な構成を示す。本実施形態で、レンズホルダ８３の両側に装着されるプロテクタ８５，８６は、仮固定用凸部８７を、レンズホルダ８３側の仮固定用凹部８８に嵌合する。本実施形態では、仮固定時に、着脱方向８９ａに垂直な方向８８ｂの変位も規制することができる。トラッキングコイル３４，３５の部分に生じる段差を利用して仮固定される。すなわち、仮固定用凸部８７および仮固定用凹部８８は、嵌合状態で、予め定める一方向８９ａについてのみ着脱を許容し、その一方向８９ａに直交する方向８９ｂについては変位を拘束するように形成されている。これによって、プロテクタ８５とレンズホルダ８３とを仮固定する凸部および凹部は、嵌合状態で、予め定める一方向についてのみ着脱を許容し、その一方向に直交する方向については変位を拘束する、仮固定状態で強固に組立てることができる。プロテクタ８５，８６の先端８５ａ，８６ａとレンズホルダ８３の周囲８３ａとによる堰の形成については、図１の実施形態と同様である。
【００３３】
図８は、本発明の実施の第６形態である対物レンズ保持装置９１の概略的な構成を示す。本実施形態では、レンズホルダ９３の両側にプロテクタ９５，９６を装着する。レンズホルダ９３は仮固定用凸部９７を有し、プロテクタ９５，５６側に形成される仮固定用凹部９８に嵌合させることができる。図７の実施形態と同様に、仮固定状態で強固に組立てることができる。プロテクタ９５，９６の先端９５ａ，９６ａとレンズホルダ９３の周囲９３ａとによる堰の形成については、図１の実施形態と同様である。
【００３４】
以上では、対物レンズ保持装置を光ピックアップ装置に用いる場合について説明しているけれども、文字やバーコードなどの読取り装置でも同様に使用することができる。
【００３５】
【発明の効果】
以上のように本発明によれば、レンズホルダの対象物に臨む表面の周囲とプロテクタとで、またはプロテクタで、対物レンズの径方向の外方を囲む堰を形成し、堰によって接着剤の流れ出しを防ぐことができるので、接着を容易に行い、レンズホルダに必要なスペースを小さくし、小型化を図ることができる。
【００３６】
また本発明によればで、プロテクタが対物レンズの光軸の両側に設けられるので、対物レンズ保持装置が傾いても、対物レンズやレンズホルダの接触を防ぐことができる。
【００３７】
また本発明によれば、プロテクタを一体化して、対物レンズの両側で対象物との接触を防ぐことができる。
【００３８】
また本発明によれば、プロテクタとレンズホルダとの接合面で凸部を凹部に嵌合させることによって、プロテクタとレンズホルダを機械的に仮固定し、対物レンズ保持装置を容易に組立てて固定することができる。
【００３９】
また本発明によれば、プロテクタとレンズホルダとを仮固定する凸部および凹部を嵌合させ、予め定める一方向についてのみ着脱を許容し、その一方向に直交する方向については変位を拘束して、仮固定状態で強固に組立てることができる。
【図面の簡単な説明】
【図１】本発明の実施の第１形態である対物レンズ保持装置３１の外観構成を示す斜視図である。
【図２】図１の対物レンズ付近の断面図である。
【図３】図１の対物レンズ保持装置３１で一つのプロテクタ４１を外している状態を示す斜視図である。
【図４】本発明の実施の第２形態である対物レンズ保持装置５１の外観構成を示す斜視図である。
【図５】本発明の実施の第３形態である対物レンズ保持装置６１の外観構成を示す斜視図である。
【図６】本発明の実施の第４形態である対物レンズ保持装置７１の外観構成を示す斜視図である。
【図７】本発明の実施の第５形態である対物レンズ保持装置８１の外観構成を示す斜視図である。
【図８】本発明の実施の第６形態である対物レンズ保持装置９１の外観構成を示す斜視図である。
【図９】従来からの対物レンズ保持装置１の外観構成を示す斜視図である。
【図１０】図９の対物レンズ保持装置１を用いる光ピックアップ装置の概略的な構成を示す簡略化した断面図である。
【図１１】図９の対物レンズ保持装置１を用いる光ピックアップ装置の概略的な構成を示す簡略化した斜視図である。
【符号の説明】
３１，５１，６１，７１，８１，９１　対物レンズ保持装置
３２　対物レンズ
３３，６３，８３，９３　レンズホルダ
４１，４２，５２，６５，６６，７５，８５，８６，９５，９６　プロテクタ
４３　接着剤層
４５　仮固定用溝
４６，６７，７７　仮固定用突条
８７，９８　仮固定用凸部
８８，９７　仮固定用凹部
【図１】
2004139694.tif 000003
【図２】
2004139694.tif 000004
【図３】
2004139694.tif 000005
【図４】
2004139694.tif 000006
【図５】
2004139694.tif 000007
【図６】
2004139694.tif 000008
【図７】
2004139694.tif 000009
【図８】
2004139694.tif 000010
【図９】
2004139694.tif 000011
【図１０】
2004139694.tif 000012
【図１１】
2004139694.tif 000013